(57)【要約】【課題】目地詰め作業の効率を高めることができ、かつ、目地を確実に詰めることのできる目地詰め補助具を提供すること。【解決手段】目地詰め用補助具１において、補助具本体２は、上面部３と、この上面部３の両端から下方に延びる一対の側板部分６、７とを備えており、隣接する縁石ブロック１０の間に形成されている隙間１１を覆うように縁石ブロック１０に被せることが可能である。補助具本体２の上面部３には、補助具本体２を縁石ブロック１０に被せた状態で隙間１１の上部開口１１１と重なる位置にスリット状の目地材投入口５が形成されている。【選択図】　　　図１
2004143824.tif 000002
【特許請求の範囲】
【請求項１】
部材あるいは部材間において目地詰めを必要とする空間内に目地材を詰めるのに用いる目地詰め用補助具であって、
前記空間の開口部分を覆うように前記部材に被せられる補助具本体を有し、
該補助具本体には、前記空間の上部開口と重なる位置に目地材投入口が形成されていることを特徴とする目地詰め用補助具。
【請求項２】
請求項１において、前記目地材投入口は、前記上部開口と等しいサイズ、あるいは前記上部開口より小さなサイズに形成されていることを特徴とする目地詰め用補助具。
【請求項３】
請求項１または２において、前記部材はブロックであり、前記空間は、隣接するブロックの間で３方に向けて開口する隙間であり、
前記補助具本体は、前記空間の両側部開口を塞ぐ一対の側板部分を備え、
前記目地材投入口は、前記隙間の上側開口と重なる位置にスリット状に形成されていることを特徴とする目地詰め用補助具。
【請求項４】
請求項１ないし３のいずれかにおいて、前記補助具本体の内面には、当該補助具本体を前記部材に被せたときに前記空間内に向かって突出して当該空間に充填される目地材の表面形状を整える整形用突起が形成されていることを特徴とする目地詰め用補助具。
【請求項５】
請求項１ないし４のいずれかにおいて、前記補助具本体の外面には、前記目地材投入用開口の周りから斜め上向きに突き出たホッパー部が形成されていることを特徴とする目地詰め用補助具。
【請求項６】
請求項１ないし５のいずれかにおいて、前記補助具本体は、前記部材に被せたときに、当該補助具本体の弾性復帰力によって、前記部材を弾性をもって両側から挟み込む一対の側板部分を備えていることを特徴とする目地詰め用補助具。
【請求項７】
請求項１ないし５のいずれかにおいて、前記補助具本体は、各々側板部分を備えた第１のＬ形部材および第２のＬ形部材と、前記第１のＬ形部材と前記第２のＬ形部材を前記側板部分同士が接近する方向に付勢するバネとを有し、
前記バネに抗して前記側板部分を押し広げて当該補助具本体を前記部材に被せるように構成されていることを特徴とする目地詰め用補助具。
【発明の詳細な説明】
【０００１】
【発明の属する技術分野】
本発明は、縁石ブロックなどの各種ブロック、あるいはレンガなどによって構造体を構築する際、目地材を詰めるのに用いる目地詰め用補助具に関するものである。
【０００２】
【従来の技術】
道路脇に縁石ブロックによってガードレールを形成するときには、縁石ブロックを並べた後、縁石ブロックの間に形成されている隙間内に目地材を詰める必要がある。また、ブロックを積み上げて塀などを構築する際にも、ブロックに形成されている穴、あるいはブロックの間に形成される穴や隙間に目地材を詰める必要がある。
【０００３】
このような目地詰め作業は、従来、作業者の勘に基づいて、適量の目地材を隙間などに詰めた後、詰めた目地材の表面をなコテでならして、表面の形状などを整えている。
【０００４】
【発明が解決しようとする課題】
しかしながら、従来のように作業者の勘によって目地詰めを行っていたのでは、隙間の側部開口からセメントがこぼれてしまい、材料が無駄になるとともに、仕上がり状態が悪いという問題点がある。かといって、手で隙間の側部開口を塞いだり、隙間の側部開口をテープなどで塞いでおく方法では、目地詰め作業に多大な手間がかかる。
【０００５】
また、作業者の勘によって目地詰めを行っていたのでは、目地の表面をいくら見栄えよく仕上げても、内部に空洞ができることがあり、このような場合には、目地の強度が低く、簡単に崩れてしまう。
【０００６】
以上の問題点に鑑みて、本発明の課題は、目地詰め作業の効率を高めることができ、かつ、目地を確実に詰めることのできる目地詰め補助具を提供することにある。
【０００７】
【課題を解決するための手段】
上記課題を解決するため、本発明では、部材あるいは部材間において目地詰めを必要とする空間内に目地材を詰めるのに用いる目地詰め用補助具であって、前記空間の開口部分を覆うように前記部材に被せられる補助具本体を有し、該補助具本体には、前記空間の上部開口と重なる位置に目地材投入口が形成されていることを特徴とする。
【０００８】
本発明では、目地詰め用補助具の補助具本体を部材に被せると、目地を詰めるべき空間の上方開口が目地材投入口で露出した状態となり、空間の他の開口部分は、補助具本体および部材自身で塞がれた状態となる。従って、目地材投入口から目地材を空間内に詰めれば、目地材は、空間からはみ出ることなく充填される。それ故、空間の側部開口などから目地材がこぼれてしまうことがないので、材料が無駄になることがなく、かつ、目地を効率よく良好な仕上がり状態で詰めることができる。また、目地材投入口から目地材を詰めながら、板材などで目地材を押し込んでも、空間の側部開口などから目地材がはみ出ることがないので、目地を強固に詰めることができる。
【０００９】
本発明において、前記目地材投入口は、前記上部開口と等しいサイズ、あるいは前記上部開口より小さなサイズに形成されていることが好ましい。このように構成すると、部材の表面に目地材が付着することを防止できる。
【００１０】
本発明において、前記部材は、例えば、ブロックであり、前記空間は、隣接するブロックの間で３方に向けて開口する隙間である。このような場合、前記補助具本体は、前記空間の両側部開口を塞ぐ一対の側板部分を備え、前記目地材投入口は、前記隙間の上側開口と重なる位置にスリット状に形成される。
【００１１】
本発明において、前記補助具本体の内面には、当該補助具本体を前記部材に被せたときに前記空間内に向かって突出する突起が形成されていることが好ましい。目地は、通常、部材の表面よりも凹むように形成されるのが好ましいので、補助具本体の内面に、空間内に向かって整形用の突起を形成しておけば、部材の表面よりも凹んだ状態に目地を容易に詰めることができる。
【００１２】
本発明において、前記補助具本体の外面には、前記目地材投入用開口の周りから斜め上向きに突き出たホッパー部が形成されていることが好ましい。このように構成すると、目地材をこぼすことなく空間内に詰めることができる。
【００１３】
本発明において、前記補助具本体は、前記部材に被せたときに、当該補助具本体の弾性復帰力によって、前記部材を弾性をもって両側から挟み込む一対の側板部分を備えていることが好ましい。このように構成すると、一対の側板部分を押し広げるようにして補助具本体を部材に被せると、側板部分が板バネのように補助具本体を両側から挟み込んだ状態となる。従って、簡単な構成でありながら、目地詰め作業中に目地詰め用補助具がずれることを防止できる。
【００１４】
本発明において、前記補助具本体は、各々前記側板部分を備えた第１のＬ形部材および第２のＬ形部材と、前記第１のＬ形部材と前記第２のＬ形部材において前記側板部分同士を接近する方向に付勢するバネとを有し、前記バネに抗して前記側板部分を押し広げて当該補助具本体を前記部材に被せるように構成されていることが好ましい。このように構成すると、第１のＬ形部材と第２のＬ形部材をクリップのように扱って部材に取り付けることができるので、目地詰め作業中、目地詰め用補助具１がずれることがない。
【００１５】
【発明の実施の形態】
図面を参照して本発明の実施の形態を説明する。
【００１６】
［実施の形態１］
図１（Ａ）、（Ｂ）はそれぞれ、本発明の実施の形態１に係る目地詰め用補助具の説明図、およびその使用方法を示す説明図である。
【００１７】
図１（Ａ）において、目地詰め用補助具１は、部材あるいは部材間において目地詰めを必要とする空間にセメントなどの目地材を詰めるためのものであり、樹脂成形品、あるいは金属板を折り曲げ加工してなる補助具本体２を有している。
【００１８】
補助具本体２は、上面部３と、この上面部３の両端から下方に延びる一対の側板部分６、７とを備えており、図１（Ｂ）に示すように、隣接する縁石ブロック１０の間に形成されている隙間１１を覆うように縁石ブロック１０に被せることが可能である。補助具本体２の上面部３には、補助具本体２を縁石ブロック１０に被せたときに隙間１１の上部開口１１１と重なる位置にスリット状の目地材投入口５が形成されている。
【００１９】
このように構成した目地詰め用補助具１を用いて隙間１１に対する目地詰めを行うには、まず、目地詰め用補助具１を縁石ブロック１０に被せる。その結果、隙間１１の上部開口１１１が目地材投入口５で露出した状態となる一方、隙間１１の側部開口１１２は、側板部分６、７で塞がれる。
【００２０】
ここで、側板部分６、７の間隔を縁石ブロック１０の幅寸法よりやや小さく設計しておくと、目地詰め用補助具１を縁石ブロック１０に被せる際、側板部分６、７が押し広げられることになるので、側板部分６、７が板バネのように縁石ブロック１０を両側から挟み込んだ状態となり、目地詰め用補助具１が縁石ブロック１０に固定される。
【００２１】
次に、コテなどを用いて目地材を目地材投入口５から隙間１０内に詰める、この際、コテの先などで目地材を軽く押し込む。
【００２２】
そして、隙間１０の上部まで目地材を詰め込んだ後、目地詰め用補助具１を上方に持ち上げて縁石ブロック１０から外し、しかる後、隙間１１内に詰めた目地材の表面をコテなどで整え、仕上げる。
【００２３】
このように本形態の目地詰め用補助具１では、補助具本体２を縁石ブロック１０に被せると、隙間１０の側部開口１１２が補助具本体２の側板部分６、７で塞がれるので、目地材投入口５から目地材を隙間１１内に詰めれば、目地材は、隙間１１からはみ出ることなく充填される。従って、隙間１１の側部開口１１２などから目地材がこぼれてしまうことがないので、目地材が無駄になることがなく、かつ、目地材を効率よく良好な仕上がり状態で詰めることができる。また、目地材投入口５から目地材を詰めながら、目地材を隙間１１内で押し込んでも、隙間１１の側部開口１１２から目地材がはみ出ることがないので、目地材を隙間１１内に空洞を発生させることなく確実に詰めることができる。
【００２４】
なお、目地材投入口５のサイズは隙間１１の上部開口１１１よりも大きくてもよいが、目地材投入口５のサイズを上部開口１１１と等しいサイズ、あるいは上部開口１１１より小さなサイズに形成しておけば、縁石ブロック１０の表面に目地材が付着することを防止できる。
【００２５】
［実施の形態２］
図２（Ａ）、（Ｂ）はそれぞれ、本発明の実施の形態２に係る目地詰め用補助具の説明図、および目地材を詰めた後の状態を示す説明図である。
【００２６】
図２（Ａ）において、本形態の目地詰め用補助具１も、実施の形態１と同様、補助具本体２は、上面部３と、この上面部３の両端から下方に延びる一対の側板部分６、７とを備えており、図２（Ｂ）に示す縁石ブロック１０の間に形成されている隙間１１を覆うように縁石ブロック１０に被せることが可能である。補助具本体２の上面部３には、補助具本体２を縁石ブロック１０に被せた状態で隙間１１の上部開口１１１と重なる位置にスリット状の目地材投入口５が形成されている。
【００２７】
本形態では、側板部分６、７の内面に、隙間１１内に向かって突出する突起８（整形用突起）が縦方向に延びており、目地詰め用補助具１を縁石ブロック１０に被せると、突起８は、隙間１１の側部開口１１２を塞いだ状態となる。ここで、突起８は横断面が半円形になっている。このため、実施の形態１で説明した手順で隙間１１内に目地材を詰めると、目地材は、縁石ブロック１０の表面よりも凹んだ状態に容易に詰めることができ、かつ、目地材の表面を丸く窪んだ形状に整形することができる。
【００２８】
［実施の形態３］
図３は、本発明の実施の形態３に係る目地詰め用補助具の説明図である。
【００２９】
図３において、本形態の目地詰め用補助具１も、実施の形態１と同様、補助具本体２は、上面部３と、この上面部３の両端から下方に延びる一対の側板部分６、７とを備えており、隣接する縁石ブロックの間に形成されている隙間を覆うように縁石ブロックに被せることが可能である。また、補助具本体２の上面部３には、補助具本体２を縁石ブロックに被せた状態で隙間の上部開口と重なる位置にスリット状の目地材投入口５が形成されている。
【００３０】
また、本形態の目地詰め用補助具１では、上面に目地材投入口５の周りから斜め上向きに突き出たホッパー部３０が形成されている。このため、目地材をこぼすことなく隙間内に詰めることができる。
【００３１】
［実施の形態４］
図４は、本発明の実施の形態４に係る目地詰め用補助具の説明図である。
【００３２】
図４において、本形態の目地詰め用補助具１も、実施の形態１と同様、補助具本体２は、上面部３と、この上面部３の両端から下方に延びる一対の側板部分６、７とを備えており、隣接する縁石ブロックの間に形成されている隙間を覆うように縁石ブロックに被せることが可能である。補助具本体２の上面部３には、補助具本体２を縁石ブロックに被せた状態で隙間の上部開口と重なる位置にスリット状の目地材投入口５が形成されている。
【００３３】
また、本形態の目地詰め用補助具１では、側板部分６、７に取っ手９が形成されている。このため、目地詰め用補助具１の取り外しが容易である。
【００３４】
［実施の形態５］
図５は、本発明の実施の形態５に係る目地詰め用補助具の説明図である。
【００３５】
図５に示す目地詰め用補助具１も、実施の形態１と同様、補助具本体２は、上面部３と、この上面部３の両端から下方に延びる一対の側板部分６、７とを備えており、隣接する縁石ブロックの間に形成されている隙間を覆うように縁石ブロックに被せることが可能である。また、補助具本体２の上面部３には、補助具本体２を縁石ブロックに被せた状態で隙間の上部開口と重なる位置にスリット状の目地材投入口５が形成されている。
【００３６】
ここで、本形態の目地詰め用補助具１では、一対の側板部分６、７は同形ではなく、一方の側板部分６は、縁石ブロックの形状に合わせて、途中位置で外側に折り曲げられた形状になっている。
【００３７】
［実施の形態６］
図６（Ａ）、（Ｂ）はそれぞれ、本発明の実施の形態６に係る目地詰め用補助具の説明図、およびその変形例の説明図である。
【００３８】
図６（Ａ）に示す目地詰め用補助具１でも、実施の形態１と同様、補助具本体２は、上面部３と、この上面部３の両端から下方に延びる一対の側板部分６、７とを備えている。
【００３９】
但し、本形態の目地詰め用補助具１は、実施の形態１と違って、コンリートブロックを積み上げる際、コンクリートブロックに形成されている丸穴内に目地材を詰めるためのものである。このため、補助具本体２の上面部３には、補助具本体２をコンクリートブロックに被せた状態でコンクリートブロックの丸穴の上部開口と重なる位置に丸穴からなる目地材投入口５が形成されている。また、上面部３の両端には半円形の切り欠き３１が形成されている。
【００４０】
このように構成した目地詰め用補助具１を用いてコンクリートブロックの丸穴に対する目地詰めを行うには、まず、目地詰め用補助具１をコンクリートブロックに被せると、コンクリートブロックの丸穴の上部開口が目地材投入口５で露出した状態となる。
【００４１】
ここで、側板部分６、７の間隔をコンクリートブロックの幅寸法よりやや小さく設計しておくと、目地詰め用補助具１をコンクリートブロックに被せる際、側板部分６、７が押し広げられることになるので、側板部分６、７が板バネのようにコンクリートブロックを両側から挟み込んだ状態となり、目地詰め用補助具１がコンクリートブロックに固定される。
【００４２】
次に、コテなどを用いて目地材を目地材投入口５から丸穴内に詰める。この際、コテの先などで目地材を軽く押し込む。
【００４３】
そして、丸穴の上部まで目地材を詰め込んだ後、目地詰め用補助具１を上方に持ち上げてコンクリートブロックから外し、しかる後、丸穴内に詰めた目地材の表面をコテなどで整え、仕上げる。
【００４４】
このように本形態の目地詰め用補助具１をコンクリートブロックに被せて丸穴内に目地材を詰めれば、コンクリートブロックの上面などが目地材で汚れることがない。
【００４５】
なお、目地材投入口５のサイズはコンクリートブロックの丸穴より大きくてもよいが、目地材投入口５のサイズを丸穴と等しいサイズ、あるいは丸穴より小さなサイズに形成しておけば、コンクリートブロックの表面に目地材が付着することを確実に防止できる。
【００４６】
また、本形態の目地詰め用補助具１については、図６（Ｂ）に示すように変形して、コンクリートブロックを並べたときに隣接するブロック間に生じる丸穴、および隙間に目地材を詰めるのに適した構造としてもよい。
【００４７】
［実施の形態７］
図７は、本発明の実施の形態７に係る目地詰め用補助具の説明図である。
【００４８】
図７において、目地詰め用補助具１は、実施の形態１に係る目地詰め用補助具１を第１のＬ形部材１０１および第２のＬ形部材１０２に２分割し、かつ、第１のＬ形部材１０１と第２のＬ形部材１０２とをヒンジ１０３で接続した構造を有している。ここで、第１のＬ形部材１０１および第２のＬ形部材１０２はそれぞれ、側板部分６、７を有する。また、第１のＬ形部材１０１と第２のＬ形部材１０２の上面にはスリット状の目地材投入口５を構成する開口５１、５２が形成されている。また、第１のＬ形部材１０１と第２のＬ形部材１０２の上面には摘み部分１０４、１０５が形成され、これらの摘み部分１０４、１０５の間には、第１のＬ形部材１０１と第２のＬ形部材１０２とをヒンジ１０３で屈曲させて、側板部分６、７同士を接近する方向に付勢するバネ１０６を有している。
【００４９】
このため、本形態の目地詰め用補助具１では、クリップのように、バネ１０６に抗して側板部分６、７を押し広げれば補助具本体２を縁石ブロックなどに取り付けることができる。従って、目地詰め作業中、目地詰め用補助具１がずれることがない。
【００５０】
［その他の実施の形態］
なお、上記形態では、目地材としてセメントを詰める例を説明したが、接着剤などを目地材として用いる場合に本発明を適用してもよい。
【００５１】
【発明の効果】
以上説明したように、本発明では、目地詰め用補助具の補助具本体を部材に被せると、目地を詰めるべき空間の上方開口が目地材投入口で露出した状態となり、空間の他の開口部分は、補助具本体および部材自身で塞がれた状態となる。従って、目地材投入口から目地材を空間内に詰めれば、目地材は、空間からはみ出ることなく充填される。それ故、空間の側部開口などからセメントがこぼれてしまうことがないので、材料が無駄になることがなく、かつ、目地を効率よく良好な仕上がり状態で詰めることができる。また、目地材投入口から目地材を詰めながら、板材などで目地材を押し込んでも、空間の側部開口などから目地材がはみ出ることがないので、目地を強固に詰めることができる。
【図面の簡単な説明】
【図１】（Ａ）、（Ｂ）はそれぞれ、本発明の実施の形態１に係る目地詰め用補助具の説明図、およびその使用方法を示す説明図である。
【図２】（Ａ）、（Ｂ）はそれぞれ、本発明の実施の形態２に係る目地詰め用補助具の説明図、および目地材を詰めた後の状態を示す説明図である。
【図３】本発明の実施の形態３に係る目地詰め用補助具の説明図である。
【図４】本発明の実施の形態４に係る目地詰め用補助具の説明図である。
【図５】本発明の実施の形態５に係る目地詰め用補助具の説明図である。
【図６】（Ａ）、（Ｂ）はそれぞれ、本発明の実施の形態６に係る目地詰め用補助具の説明図、およびその変形例の説明図である。
【図７】本発明の実施の形態７に係る目地詰め用補助具の説明図である。
【符号の説明】
１　目地詰め用補助具
２　補助具本体
３　上面部
５　目地材投入口
６、７　側板部分
８　ホッパー部
９　取っ手
１０　縁石ブロック
１１　隙間
１０１　第１のＬ形部材
１０２　第２のＬ形部材
１０３、１０４　摘み部分
１０６　バネ
１１１　隙間の上部開口
１１２　隙間の側部開口
【図１】
2004143824.tif 000003
【図２】
2004143824.tif 000004
【図３】
2004143824.tif 000005
【図４】
2004143824.tif 000006
【図５】
2004143824.tif 000007
【図６】
2004143824.tif 000008
【図７】
2004143824.tif 000009